(57)【要約】【課題】  スピニングリールのリール本体において、リール全体の軽量化を図るとともに、リール全体の強度を高く維持する。【解決手段】  リール本体２は、内部に各種の機構が装着されるリールボディ２ａと、釣竿に装着されリールボディ２ａから斜め上前方に一体的に延びるＴ字状の竿取付脚部２ｂとを備えている。リールボディ２ａは、側部が開口する収納空間を内部に有する本体部材２ｃと、本体部材２ｃの開口を覆うように着脱自在に本体部材２ｃに装着された蓋部材２ｄとを有している。竿取付脚部２ｂとリールボディ２ａの蓋部材２ｄとの連接部分より上方後部には、肉盗み部５０が形成されている。肉盗み部５０の少なくとも周縁部を覆うように後部から下部にかけてカバー部材７０が装着されている。【選択図】      図１
2005080600.tif 000002
【特許請求の範囲】
【請求項１】
釣竿に装着され、前方に釣り糸を繰り出し可能なスピニングリールのリール本体であって、
内部に各種の機構が装着されるリールボディと、
前記釣竿に装着され、前記リールボディから斜め上前方に一体的に延びるＴ字状の竿取付脚部と、
前記竿取付脚部と前記リールボディとの連接部分より上方に形成された肉盗み部と、
前記肉盗み部の少なくとも周縁部を覆うカバー部材と、
を備えたスピニングリールのリール本体。
【請求項２】
前記カバー部材は、前記肉盗み部の周囲を覆うように装着され、前記肉盗み部を臨む開口部を有している、請求項１に記載のスピニングリールのリール本体。
【請求項３】
前記カバー部材は、前記肉盗み部の全体を覆うように装着されている、請求項１に記載のスピニングリールのリール本体。
【請求項４】
前記肉盗み部は、前記竿取付脚部及び前記リールボディの一部が他の部分より凹んで形成された凹陥部である、請求項１から３のいずれかに記載のスピニングリールのリール本体。
【請求項５】
前記肉盗み部は、前記竿取付脚部及び前記リールボディの一部を貫通する貫通孔である、請求項１から３のいずれかに記載のスピニングリールのリール本体。
【請求項６】
前記肉盗み部は、前記竿取付脚部及び前記リールボディの一部を貫通する貫通孔と、前記貫通孔の周囲において前記竿取付脚部及び前記リールボディの一部が他の部分より凹んで形成された凹陥部とを有している、請求項１から３のいずれかに記載のスピニングリールのリール本体。
【請求項７】
前記貫通孔は、前記凹陥部の中央部より偏芯した位置に配置されている、請求項６に記載のスピニングリールのリール本体。
【請求項８】
前記凹陥部は、前記貫通孔に向かって傾斜する傾斜面を有している、請求項６又は７に記載のスピニングリールのリール本体。
【請求項９】
前記肉盗み部は、前記竿取付脚部及び前記リールボディの後部に形成されている、請求項１から８のいずれかに記載のスピニングリールのリール本体。
【請求項１０】
前記肉盗み部は、前記竿取付脚部及び前記リールボディの側部に形成されている、請求項１から８のいずれかに記載のスピニングリールのリール本体。
【請求項１１】
前記リールボディは、内部に各種の機構が装着される本体部材と、前記本体部材に装着される蓋部材とをさらに備えている、請求項１から１０のいずれかに記載のスピニングリールのリール本体。
【請求項１２】
前記竿取付脚部は、前記本体部材と一体成形されている、請求項１１に記載のスピニングリールのリール本体。
【請求項１３】
前記竿取付脚部は、前記蓋部材と一体成形されている、請求項１１に記載のスピニングリールのリール本体。
【発明の詳細な説明】
【技術分野】
【０００１】
本発明は、リール本体、特に、釣竿に装着され前方に釣り糸を繰り出し可能なスピニングリールのリール本体に関する。
【背景技術】
【０００２】
スピニングリールは、一般に、釣竿に装着されるリール本体と、リール本体に回転自在に取り付けられたハンドルと、リール本体に回転自在に装着されたロータと、ロータの前方でリール本体に前後移動自在に装着され、ロータによって案内された釣り糸が外周に巻き付けられるスプールとを有している。
【０００３】
この種のリール本体は、釣竿に装着されるＴ字状の竿取付脚部と、竿取付脚部と一体成形され、内部に各種の機構が収納されるリールボディとを備えている。リールボディは、側部が開口する収納空間を内部に有する本体部材と、本体部材の開口を覆うように着脱自在に本体部材に装着された蓋部材とを有している。
【０００４】
このようなリール本体では、釣竿を把持するとき竿取付脚部を指で挟みやすくするために、竿取付脚部の前後方向長さを短くすることが望ましい。また、リールボディは内部に各種の機構を収納するために、前後方向長さを長くすることが要請されている。これら両方を実現させようとすると、竿取付脚部とリールボディとの連接部分では、前後方向長さが急激に変化するため、この部分の強度が著しく低下してしまうおそれがあった。そこで、竿取付脚部とリールボディとの連接部分の前後方向長さが徐変するように形成すると、強度を高く維持することができるが、肉厚に形成した分だけ重量化を招くといった問題を引き起こしていた。
【０００５】
このような問題を解消するため、竿取付脚部とリールボディとの連接部分より上方に後方から貫通孔を形成したものが知られている（たとえば、特許文献１参照）。このような貫通孔を形成することにより、全体の軽量化を図ることができるとともに、意匠性を向上させることができる。
【特許文献１】意匠登録第７１２３１８号公報
【発明の開示】
【発明が解決しようとする課題】
【０００６】
前記従来のスピニングリールのリール本体では、竿取付脚部とリールボディとの連接部分より上方に後方から貫通孔が形成されているので、リール全体の軽量化を図ることができる。しかし、このような貫通孔を形成すると、リールを落下させたり、岩場に接触させたりしたとき、特に、貫通孔の周縁部が傷付いてしまうおそれがある。貫通孔の周縁部が傷付くと、リール全体の強度が低下するおそれが生じる。
【０００７】
本発明の課題は、スピニングリールのリール本体において、リール全体の軽量化を図るとともに、リール全体の強度を高く維持することにある。
【課題を解決するための手段】
【０００８】
発明１に係るリール本体では、釣竿に装着され前方に釣り糸を繰り出し可能なスピニングリールのリール本体であって、内部に各種の機構が装着されるリールボディと、釣竿に装着されリールボディから斜め上前方に一体的に延びるＴ字状の竿取付脚部と、竿取付脚部とリールボディとの連接部分より上方に形成された肉盗み部と、肉盗み部の少なくとも周縁部を覆うカバー部材とを備えている。
【０００９】
このリール本体では、竿取付脚部とリールボディとの連接部分より上方に貫通孔や凹陥部からなる肉盗み部が形成されているので、リール全体の軽量化を図ることができる。さらに、肉盗み部の少なくとも周縁部にはカバー部材が覆われているので、リール全体の強度を高く維持できる。また、このようなカバー部材を装着することにより、意匠性を向上できる。
【００１０】
発明２に係るリール本体は、発明１のリール本体において、カバー部材は、肉盗み部の周囲を覆うように装着され、肉盗み部を臨む開口部を有している。この場合、カバー部材は開口部を有しているので、さらに軽量化を図ることができる。
【００１１】
発明３に係るリール本体は、発明１のリール本体において、カバー部材は、肉盗み部の全体を覆うように装着されている。この場合、カバー部材は肉盗み部全体を覆っているので、さらに強度を高く維持できる。
【００１２】
発明４に係るリール本体は、発明１から３のいずれかのリール本体において、肉盗み部は、竿取付脚部及びリールボディの一部が他の部分より凹んで形成された凹陥部である。この場合、肉盗み部として凹陥部を設けることにより、凹陥部の凹み量を適宜調節することで軽量化と強度維持とのバランスを取ることができる。
【００１３】
発明５に係るリール本体は、発明１から３のいずれかのリール本体において、肉盗み部は、竿取付脚部及びリールボディの一部を貫通する貫通孔である。この場合、肉盗み部として貫通孔を設けることにより、肉盗み部の形成が容易になる。
【００１４】
発明６に係るリール本体は、発明１から３のいずれかのリール本体において、肉盗み部は、竿取付脚部及びリールボディの一部を貫通する貫通孔と、貫通孔の周囲において竿取付脚部及びリールボディの一部が他の部分より凹んで形成された凹陥部とを有している。この場合、肉盗み部として貫通孔と凹陥部とを合わせ設けることにより、意匠性を向上できる。
【００１５】
発明７に係るリール本体は、発明６のリール本体において、貫通孔は、凹陥部の中央部より偏芯した位置に配置されている。この場合、貫通孔の形成が容易になるとともに、凹陥部の配置面積を広くすることができるので、さらに軽量化できる。
【００１６】
発明８に係るリール本体は、発明６又は７のリール本体において、凹陥部は、貫通孔に向かって傾斜する傾斜面を有している。この場合、たとえば凹陥部と貫通孔とが滑らかに連接するように凹陥部を傾斜させることにより、さらに意匠性を向上できる。
【００１７】
発明９に係るリール本体は、発明１から８のいずれかのリール本体において、肉盗み部は、竿取付脚部及びリールボディの後部に形成されている。この場合、竿取付脚部及びリールボディの後部、あるいは後部から前部にかけて肉盗み部を形成することにより、リール全体の軽量化を図れ、かつリール全体の強度を高く維持できる。
【００１８】
発明１０に係るリール本体は、発明１から８のいずれかのリール本体において、肉盗み部は、竿取付脚部及びリールボディの側部に形成されている。この場合、竿取付脚部及びリールボディの左側部又は右側部、あるいは両側部に肉盗み部を形成することにより、リール全体の軽量化を図れ、かつリール全体の強度を高く維持できる。
【００１９】
発明１１に係るリール本体は、発明１から１０のいずれかのリール本体において、リールボディは、内部に各種の機構が装着される本体部材と、本体部材に装着される蓋部材とをさらに備えている。この場合、竿取付脚部と本体部材との連接部分又は竿取付脚部と蓋部材との連接部分に肉盗み部を形成することにより、リール全体の軽量化を図れ、かつリール全体の強度を高く維持できる。
【００２０】
発明１２に係るリール本体は、発明１１のリール本体において、竿取付脚部は、本体部材と一体成形されている。この場合、竿取付脚部と本体部材とが一体成形されているので、竿取付脚部と蓋部材とが一体成形されている場合に比して、蓋部材の構成が簡素になる。
【００２１】
発明１３に係るリール本体は、発明１１のリール本体において、竿取付脚部は、蓋部材と一体成形されている。この場合、竿取付脚部と蓋部材とが一体成形されているので、厚肉部分と薄肉部分との混在を少なくして本体部材を薄肉にして精度を高く維持し、取付脚部を厚肉にして強度を維持できるようになる。
【発明の効果】
【００２２】
本発明によれば、スピニングリールのリール本体において、竿取付脚部とリールボディとの連接部分より上方に肉盗み部を形成し、肉盗み部の少なくとも周縁部にカバー部材を着することにより、リール全体の軽量化を図れ、かつリール全体の強度を高く維持することができる。
【発明を実施するための最良の形態】
【００２３】
本発明の一実施形態を採用したスピニングリールは、図１及び図２に示すように、ハンドル１を回転自在に支持され釣竿に装着されるリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル１は、図１及び図２に示すリール本体２の左側に装着されているが、リール本体２の右側にも装着可能である。
【００２４】
リール本体２は、図１及び図２に示すように、内部に各種の機構が装着されるリールボディ２ａと、釣竿に装着されリールボディ２ａから斜め上前方に一体的に延びるＴ字状の竿取付脚部２ｂとを備えている。
【００２５】
リールボディ２ａは、図２に示すように、側部が開口する収納空間を内部に有する本体部材２ｃと、本体部材２ｃの開口を覆うように着脱自在に本体部材２ｃに装着された蓋部材２ｄとを有している。竿取付脚部２ｂは、図１及び図２に示すように、略Ｔ字状の中実の厚肉部材である。竿取付脚部２ｂの先端部分は、前後両側に延びており、図示しない釣竿が装着可能である。
【００２６】
本体部材２ｃは、たとえば金属製又は合成樹脂製の部材であって、図２に示すように、側部に開口が形成され、内部に図示しない収納空間が形成されている。図示しない収納空間には、ロータ３を回転させるための図示しないロータ駆動機構と、スプール４を前後移動させて釣り糸を均一に巻き取るための図示しないオシレーティング機構とが設けられている。蓋部材２ｄは、たとえば金属製又は合成樹脂製の部材であって、本体部材２ｃの開口を閉塞するように装着されている。蓋部材２ｄは、上方に延びる竿取付脚部２ｂと一体成形されている。
【００２７】
竿取付脚部２ｂとリールボディ２ａの蓋部材２ｄとの連接部分より上方後部には、図１及び図２に示すように、肉盗み部５０が形成されている。肉盗み部５０の少なくとも周縁部を覆うように後部から下部にかけてカバー部材７０が装着されている。
【００２８】
肉盗み部５０は、図１及び図２に示すように、竿取付脚部２ｂ及び蓋部材２ｄの一部を貫通する貫通孔５１と、貫通孔５１の周囲において竿取付脚部２ｂ及び蓋部材２ｄの一部が他の部分より凹んで形成された凹陥部５２とを有している。貫通孔５１は、凹陥部５２の中央部より偏芯した位置に配置されている。凹陥部５２は、貫通孔５１に向かって傾斜する傾斜面を有している。
【００２９】
カバー部材７０は、金属製又は合成樹脂製の部材であって、図１及び図２に示すように、貫通孔５１の周囲を覆うように装着され、貫通孔５１を臨む開口部７１と、凹陥部５２の傾斜面に沿って凸状に湾曲して配置される傾斜部７２とを有している。カバー部材７０は、図示しないねじ部材により、本体部材２ｃ及び蓋部材２ｄに固定されている。
【００３０】
ロータ３は、図１及び図２に示すように、筒状部３０と、筒状部３０の側方に互いに対向して設けられた第１ロータアーム３１及び第２ロータアーム３２とを有している。筒状部３０と第１ロータアーム３１及び第２ロータアーム３２とは一体成形されている。筒状部３０の前部には、図示しない貫通孔を有する壁部が形成されており、図２に示すように、ピニオンギア１２及びスプール軸１５が貫通している。
【００３１】
第１ロータアーム３１の先端の外周側には、図１及び図２に示すように、第１ベール支持部材４０が揺動自在に装着されている。第１ベール支持部材４０の先端には、図１に示すように、釣り糸をスプール４に案内するためにラインローラ４１が装着されている。また、第２ロータアーム３２の先端の外周側には、第２ベール支持部材４２が揺動自在に装着されている。第１ベール支持部材４０の先端のラインローラ４１と第２ベール支持部材４２との間にはベール４３が設けられている。これらの第１ベール支持部材４０、第２ベール支持部材４２、ラインローラ４１及びベール４３によりベールアーム４４が構成される。
【００３２】
スプール４は、図１及び図２に示すように、ロータ３の第１ロータアーム３１と第２ロータアーム３２との間に配置されており、スプール軸１５の先端に図示しないドラグ機構を介して装着されている。スプール４は、外周に釣り糸が巻き付けられる糸巻胴部４ａと、糸巻胴部４ａの後部に一体で形成されたスカート部４ｂと、糸巻胴部４ａの前部に固定された前フランジ部４ｃとを有している。
【００３３】
このような構成のスピニングリールでは、竿取付脚部２ｂと蓋部材２ｄとの連接部分より上方に肉盗み部５０を形成し、肉盗み部５０の周縁部にカバー部材７０を装着することにより、リール全体の軽量化を図れ、かつリール全体の強度を高く維持できる。
【００３４】
〔他の実施形態〕
（ａ）  スピニングリールの形態は前記実施形態に限定されるものではなく、ドラグ機構を有するものや、逆転防止機構に代えてブレーキレバーを有する制動機構を装着したものにも本発明を適用できる。
【００３５】
（ｂ）  前記実施形態では、肉盗み部５０として貫通孔５１及び凹陥部５２を設け、カバー部材７０として開口部７１及び傾斜部７２を設けたが、図３及び図４に示すように、肉盗み部５０として貫通しない凹部からなる底部５３及び凹陥部５２を設け、カバー部材７０として底部５３全体を覆う閉塞部７３及び傾斜部７２を設けてもよい。また、図５に示すように、肉盗み部５０として貫通孔５１を設け、カバー部材７０として貫通孔５１を臨む開口部７１を設けてもよい。さらに、図６に示すように、肉盗み部５０として貫通しない凹部からなる底部５３を設け、カバー部材７０として底部５３全体を覆う閉塞部７３を設けてもよい。
【００３６】
（ｃ）  前記実施形態では、蓋部材２ｄは竿取付脚部２ｂと一体成形されていたが、図７に示すように、本体部材２ｃと竿取付脚部２ｂとを一体成形してもよい。なお、この場合、肉盗み部５０は竿取付脚部２ｂと蓋部材２ｄとの連接部分より上方に形成され、肉盗み部５０の周縁部にカバー部材７０が装着される。
【００３７】
（ｄ）  前記実施形態では、肉盗み部５０は竿取付脚部２ｂ及びリールボディ２ａの後部に形成されていたが、図８に示すように、竿取付脚部２ｂ及びリールボディ２ａの側部に貫通孔５１からなる肉盗み部５０を設け、開口部７１を有するカバー部材７０を装着する構成にしてもよい。
【図面の簡単な説明】
【００３８】
【図１】本発明の一実施形態によるスピニングリールの側面図。
【図２】前記スピニングリールの背面図。
【図３】他の実施形態の図１に相当する図。
【図４】他の実施形態の図２に相当する図。
【図５】他の実施形態の図２に相当する図。
【図６】他の実施形態の図２に相当する図。
【図７】他の実施形態の図２に相当する図。
【図８】他の実施形態の図１に相当する図。
【符号の説明】
【００３９】
１  ハンドル
２  リール本体
２ａ  リールボディ
２ｂ  竿取付脚部
２ｃ  本体部材
２ｄ  蓋部材
５０  肉盗み部
５１  貫通孔
５２  凹陥部
５３  底部
７０  カバー部材
７１  開口部
７２  傾斜部
７３  閉塞部
【図１】
2005080600.tif 000003
【図２】
2005080600.tif 000004
【図３】
2005080600.tif 000005
【図４】
2005080600.tif 000006
【図５】
2005080600.tif 000007
【図６】
2005080600.tif 000008
【図７】
2005080600.tif 000009
【図８】
2005080600.tif 000010